(57)【要約】【課題】  製造コストの低減および小型化が可能な回折光学素子を用いた光ビーム走査装置、これを含む製品およびこれらに用いられる回折光学素子の製造方法を提供する。【解決手段】  光ビームを出射する光源と、光ビームを整形する回折光学素子と、光ビームの進行方向を変化させる光ビーム走査手段とを含む光ビーム走査装置であって、回折光学素子は、透光性基板と、透光性基板上に形成された相対的に高屈折率の複数の領域と相対的に低屈折率の複数の領域とを含む透光性ＤＬＣ（Diamond Like Carbon:ダイアモンド状カーボン）膜とを含むことを特徴とする光ビーム走査装置、これを含む製品およびこれらに用いられる回折光学素子の製造方法である。【選択図】        図３
2006030840.tif 000002
【特許請求の範囲】
【請求項１】
光ビームを出射する光源と、前記光ビームを整形する回折光学素子と、前記光ビームの進行方向を変化させる光ビーム走査手段と、を含む光ビーム走査装置であって、前記回折光学素子は、透光性基板と、前記透光性基板上に形成された相対的に高屈折率の複数の領域と相対的に低屈折率の複数の領域とを含む透光性ＤＬＣ膜と、を含むことを特徴とする、光ビーム走査装置。
【請求項２】
請求項１に記載の光ビーム走査装置を含むことを特徴とする、レーザプリンタ。
【請求項３】
請求項１に記載の光ビーム走査装置を含むことを特徴とする、スキャナ。
【請求項４】
請求項１に記載の光ビーム走査装置を含むことを特徴とする、バーコードリーダ。
【請求項５】
請求項１に記載の回折光学素子の製造方法であって、前記透光性ＤＬＣ膜における前記相対的に高屈折率の複数の領域がエネルギビームの照射によって形成されたことを特徴とする、回折光学素子の製造方法。
【請求項６】
前記エネルギビームが光線、Ｘ線、電子ビームおよびイオンビームからなる群から選択された少なくとも１種からなることを特徴とする、請求項５に記載の回折光学素子の製造方法。
【発明の詳細な説明】
【技術分野】
【０００１】
本発明は屈折率変調型の回折光学素子を用いた光ビーム走査装置、この光ビーム走査装置を含む製品および回折光学素子の製造方法に関し、特に製造コストの低減および小型化が可能な光ビーム走査装置、これを含む製品および回折光学素子の製造方法に関する。
【背景技術】
【０００２】
従来から、光ビーム走査装置は、レーザプリンタ、バーコードリーダまたはスキャナなどの製品に広く利用されている。しかしながら、このような光ビーム走査装置を含む製品については、近年、製造コストの低減や更なる小型化の要望が大きくなってきている。
【０００３】
たとえば、従来のレーザビーム走査装置においては、半導体レーザから出射されたレーザビームについてピンホールアパーチャを用いて最大径の規制が行なわれるとともに、半導体レーザから出射されたレーザビームをコリメータレンズで受け、垂直振動方向と水平振動方向の各々のビームウェスト位置を所望の位置にするために複数のシリンドリカルレンズやプリズムを配置する必要があった（特許文献１の段落[０００４]参照）。
【０００４】
しかしながら、この従来のレーザビーム走査装置においては、半導体レーザの出射端にコリメータレンズの他に複数のシリンドリカルレンズやプリズムを設けた場合には部品数が多くなりすぎることなどによって、レーザビーム走査装置の製造コストが増加し、さらに小型化も困難であるという問題があった。
【０００５】
このような問題を解決することを目的として、特許文献１には、半導体レーザから出射されたレーザビームが収束レンズとピンホールアパーチャとによって整形され（特許文献１の段落[０００９]参照）、整形後のレーザビームがポリゴンミラーなどを含むビーム走査手段に入射した後に照射対象物であるバーコードに照射するレーザビーム走査装置が開示されている（特許文献１の段落[００１８]〜[００２６]、図２参照）。
【０００６】
しかしながら、このレーザビーム走査装置においては、レーザビームの整形のために収束レンズとピンホールアパーチャとが用いられており、さらに収束レンズには収束レンズの傾き角度を変化させるための傾き角度制御手段が設けられている（特許文献１の段落[０００８]、図１参照）。
【０００７】
したがって、このレーザビーム走査装置においても部品数によるレーザビーム走査装置の製造コストの低減が十分ではないという問題があった。また、このレーザビーム走査装置においては、上記の部品を組み合わせる必要があるため小型化も困難であるという問題があった。
【０００８】
そこで、収束レンズとピンホールアパーチャによってレーザビームを整形するのではなくて、レーザビームを回折によって整形するために回折光学素子を用いることが望まれる。
【０００９】
図７において、回折光学素子の作用の一例が模式的斜視図で図解されている。図７（ａ）に示された回折光学素子３に入射する光ビームＬ１は、図７（ｂ）に示されているように円形断面を有し、その断面内においてガウシアン強度分布を有している（図７（ｂ）において、走査線の高さが光強度に比例して示されている）。すなわち、光ビームＬ１は、その断面の中央部において最も高い強度を有し、周縁部に向かうにしたがってなだらかに強度が低下している。回折光学素子３を通過した光ビームＬ２はレンズ２０によって所定の照射面３０上に照射される。このとき、照射面３０上に照射された光ビームＬ２は、図７（ｃ）に示されているように、回折光学素子３の回折作用によって光ビームの断面形状が正方形に変換されるとともに、その断面内における強度分布が均一化されている（図７
（ｃ）においても、走査線の高さが光強度に比例して示されている）。
【００１０】
ところで、回折光学素子としては、レリーフ型と屈折率変調型とが存在することが周知である。レリーフ型の回折光学素子は、たとえばフォトリソグラフィとエッチングを利用して石英系ガラス層を加工することによって形成され得る。すなわち、レリーフ型の回折光学素子における加工された石英系ガラス層は、相対的に厚い複数の領域と相対的に薄い複数の領域とを含んでいる。そして、それらの厚い領域を通過した光と薄い領域を通過した光との位相が互いに異なることによって、回折効果が生じる。
【００１１】
他方、屈折率変調型の回折光学素子は、たとえばＧｅドープされた石英系ガラス層の局所的領域の屈折率を紫外線照射で高めることによって作製され得る。すなわち、屈折率変調型回折光学素子におけるＧｅドープされた石英系ガラス層は、相対的に高い屈折率の複数領域と相対的に低い屈折率の複数領域とを含んでいる。そして、それらの高い屈折率領域を通過した光と低い屈折率領域を通過した光との位相が互いに異なることによって、回折効果が生じる。
【特許文献１】特開平６−２７３９８号公報
【発明の開示】
【発明が解決しようとする課題】
【００１２】
上記の屈折率変調型の回折光学素子は原理的には作製可能であるが、実用的な屈折率変調型の回折光学素子を得ることは困難である。なぜならば、たとえば石英系ガラスにエネルギビームを照射することによって得られる屈折率変化量はせいぜい０．０１程度であって、効果的な回折格子層を形成することが困難だからである。
【００１３】
したがって、現在では、回折光学素子としてレリーフ型が利用されるのが一般的である。しかし、レリーフ型回折光学素子の作製に必要なフォトリソグラフィやエッチングはかなり複雑な加工工程であり、相当の時間と手間を要する。また、そのエッチング深さを精度よく制御することが容易でない。さらに、レリーフ型の回折光学素子においては、その表面に微細な凹凸が形成されているので、埃や汚れが付着しやすいという問題もある。
【００１４】
上記の事情に鑑みて、本発明の目的は、製造コストの低減および小型化が可能な回折光学素子を用いた光ビーム走査装置とこれを含む製品とを提供することにある。また、本発明の目的は、この光ビーム走査装置に用いられる回折光学素子の製造方法を提供することにある。
【課題を解決するための手段】
【００１５】
本発明は、光ビームを出射する光源と、光ビームを整形する回折光学素子と、光ビームの進行方向を変化させる光ビーム走査手段とを含む光ビーム走査装置であって、回折光学素子は、透光性基板と、透光性基板上に形成された相対的に高屈折率の複数の領域と相対的に低屈折率の複数の領域とを含む透光性ＤＬＣ（Diamond Like Carbon:ダイアモンド状カーボン）膜とを含むことを特徴とする光ビーム走査装置である。
【００１６】
また、本発明は、上記の光ビーム走査装置を含むことを特徴とするレーザプリンタである。
【００１７】
また、本発明は、上記の光ビーム走査装置を含むことを特徴とするスキャナである。
【００１８】
また、本発明は、上記の光ビーム走査装置を含むことを特徴とするバーコードリーダである。
【００１９】
さらに、本発明は、上記の回折光学素子の製造方法であって、透光性ＤＬＣ膜における相対的に高屈折率の複数の領域がエネルギビームの照射によって形成されたことを特徴とする回折光学素子の製造方法である。
【００２０】
ここで、本発明の回折光学素子の製造方法においては、エネルギビームが光線、Ｘ線、電子ビームおよびイオンビームからなる群から選択された少なくとも１種からなることが好ましい。
【発明の効果】
【００２１】
本発明によれば、製造コストの低減および小型化が可能な回折光学素子を用いた光ビーム走査装置およびこれを含む製品を提供することができる。また、本発明によれば、この光ビーム走査装置に用いられる回折光学素子の製造方法も提供することができる。
【発明を実施するための最良の形態】
【００２２】
以下、本発明の実施の形態について説明する。なお、本願の図面において、同一の参照符号は、同一部分または相当部分を表わすものとする。
【００２３】
まず、本発明をなすに際して、本発明者らは、透光性ＤＬＣ膜にエネルギビームを照射することによってその屈折率を高めることができることを確認している。そのような透光性ＤＬＣ膜は、たとえばシリコン基板、ガラス基板、その他の種々の透光性基板上にたとえばメタンなどの炭化水素ガスを原料ガスとして用いたプラズマＣＶＤ（化学気相堆積）法によって形成することができる。そのようなプラズマＣＶＤ法によって得られる透光性ＤＬＣ膜は、通常は１．５５程度の屈折率を有している。
【００２４】
透光性ＤＬＣ膜の屈折率を高めるためのエネルギビームとしては、シンクロトロン放射（ＳＲ）光若しくは紫外（ＵＶ）光などの光線、Ｘ線、電子ビームまたはイオンビームなどを用いることができる。これらのエネルギビーム照射の中でもＨｅイオンのイオンビームの照射によって、透光性ＤＬＣ膜の最大の屈折率変化量をΔｎ＝０．６５程度まで高め得ることを現状において確認できている。また、ＳＲ光の照射によっても、透光性ＤＬＣ膜の最大の屈折率変化量をΔｎ＝０．５０程度まで現状において高めることができる。さらに、ＵＶ光の照射によっても、透光性ＤＬＣ膜の最大の屈折率変化量をΔｎ＝０．２０程度まで現状において高めることができる。このように、透光性ＤＬＣ膜のエネルギビーム照射による屈折率変化量は、従来の石英系ガラスへのＵＶ光の照射による屈折率変化量（Δｎ＝０．０１以下程度）に比べて顕著に大きいことが分かる。
【００２５】
本発明者らはさらに透光性ＤＬＣ膜を用いて作製される回折光学素子の回折効果のシミュレーションを行った。このシミュレーションには、ドイツ国のライトトランス社から入手可能な計算ソフトである「バーチャルラボ」が利用された。この計算ソフトを利用すれば、フーリエ変換を利用する繰り返し計算によって、回折格子パターンとその回折効果をシミュレーションすることができる。
【００２６】
図１は、バーチャルラボを用いて求められた屈折率変調型の回折光学素子の屈折率分布（回折格子パターン）を示す平面図である。この回折光学素子は厚さ４．４３μｍで作製されていると仮定されており、その回折格子パターンは４ｍｍ×４ｍｍの正方形領域を示している。シミュレーションにおいて、この４ｍｍ×４ｍｍの正方形領域は、８００×８００個の微小正方形領域（以下ピクセルと称す）に分割されて計算された。すなわち、１つのピクセルは５μｍ×５μｍの正方形領域に設定された。
【００２７】
図１に示す回折格子パターンにおいて、黒い帯状領域は高屈折率領域を表し、白い帯状領域は低屈折率領域を表している。より具体的には、白い帯状領域は１．５５の低い屈折率を有し、黒い帯状領域は１．７２５の高い屈折率を有している。すなわち、それらの領域の屈折率差はΔｎ＝０．１７５である。このように屈折率が２段階に変化させられている場合には２レベルの回折光学素子と称され、同様に、屈折率が４段階に変化させられている場合には４レベルの回折光学素子と称される。そして、一般に多レベルの回折光学素子ほど、回折効率を高めることができる。
【００２８】
上記のように設定された図１に示す回折光学素子を用いて、光ビームの整形のシミュレーションが行われた。そのシミュレーションにおいて、回折光学素子への入射光として、波長６３０ｎｍの赤色光ビームが用いられ、この赤色光ビームは円形断面においてガウシアン強度分布を有するものと仮定された。その結果、所定の照射面上において、０．５ｍｍ×０．２５ｍｍの矩形の照射領域が形成され、その照射領域内で均一な光強度が得られた。この場合に、その照射領域内の光強度の均一性における変動は５．８％以下であり、回折効率は３７．６％であった。
【００２９】
なお、屈折率変調型の回折光学素子における回折効率は、その屈折率変調における屈折率差Δｎが大きいほど高められ得ることが知られており、２レベルの回折光学素子では最大で４０％まで高められ得ることが理論的に予想されている。また、上記のように、回折光学素子の屈折率変調レベル数を増大させることによって回折効率を高めるとができ、たとえば８レベルの回折光学素子によって９５％の回折効率が理論的に予想されている。
【００３０】
図１に示されているような回折光学素子は、たとえば図２の模式的な断面図に図解されているような方法によって実際に製造することができる。
【００３１】
図２（ａ）において、たとえば石英ガラスからなる透光性基板（図示せず）上にプラズマＣＶＤ法によって約４μｍの厚さに形成された透光性ＤＬＣ膜３２上に、たとえば約５０ｎｍ以下の厚さのＮｉ導電層４２が周知のスパッタリング法またはＥＢ（電子ビーム）蒸着法によって形成される。このＮｉ導電層４２上には図１中の黒い帯状領域を覆うようにレジストパターン４３が形成される。そのようなレジストパターンは、たとえばステッパー露光を利用して形成することができる。レジストパターン４３の開口部には、電気めっきによって厚さ約０．５μｍの金マスク４４が形成される。このような厚さの金マスクは、たとえばＳＲ光のように短波長の高エネルギビームでも約９９％を遮蔽することができる。
【００３２】
図２（ｂ）において、レジストパターン４３が除去されて、金マスク４４が残される。そして、その金マスク４４の開口部を通して、たとえばＵＶ光のようなエネルギビーム４５が透光性ＤＬＣ膜３２に照射される。その結果、エネルギビーム４５に照射された帯状領域３２ａの屈折率が高められ、エネルギビーム４５がマスクされた帯状領域３２ｂは当初の透光性ＤＬＣ膜の屈折率を維持している。より具体的には、ＫｒＦエキシマレーザを用いて波長２４８ｎｍのＵＶ光を１パルス当たり１６０ｍＷ／ｍｍ2の照射密度で１００Ｈｚのパルスで照射すれば、透光性ＤＬＣ膜の屈折率を最大でΔｎ＝０．２０程度までの変化量で高めることができる。そして、図１に示されているような２レベルの回折光学素子が得られる。
【００３３】
なお、上記のようなマスクの作製とエネルギビーム照射とを繰り返すことによって、多レベルの回折光学素子が得られることは言うまでもなく、そのような多レベル化によって回折効率を高めることができる。また、透光性ＤＬＣ膜の屈折率を高めるために照射されるエネルギビームとしては、ＳＲ光やＵＶ光などの光線のほかに、上記のようにＸ線、電子ビームまたはイオンビームなどを用いることも可能である。
【００３４】
さらに、図１に示されているような回折光学素子の製造方法は、図２（ａ）および図２（ｂ）に図解された方法に限られず、たとえば所定のパターンを有するマスクを別途に作製しておき、そのマスクを介してＵＶ光のようなエネルギビームを透光性ＤＬＣ膜に照射してもよいことは言うまでもない。このような方法では、そのマスクを繰り返して利用することができ、また、ＵＶ光はＳＲ光に比べて遥かに簡便にかつ低コストで利用することができる。
【００３５】
図３に、本発明の光ビーム走査装置を用いた光ビームの照射が図解されている。本発明の光ビーム走査装置においては、光源２から出射された光ビームの整形手段として、透光性基板３１とこの透光性基板３１上に形成された相対的に高屈折率の複数の領域と相対的に低屈折率の複数の領域とを含む透光性ＤＬＣ膜３２とからなる回折光学素子３を用いることに特徴がある。このように本発明においては、屈折率変調型の回折光学素子３のみを用いることによって光ビームの整形ができるため、光ビーム走査装置の製造コストを低減させることができ、さらに光ビーム走査装置の小型化も可能になる。
【００３６】
図３に示す光ビーム走査装置においては、このようにして製造された回折光学素子３を含む光ビームを出射する光源２から出射された光ビームが回折光学素子３によって整形させられる。そして、回折光学素子３によって整形させられた光ビームは、一定速度で回転運動をしているポリゴンミラー４に入射し、ポリゴンミラー４によってその進行方向を変化させられる。この進行方向を変化させられた光ビームが照射対象物５に照射される。ここで、光源２としては、たとえば半導体レーザなどのレーザ装置、発光ダイオードまたは超高圧水銀ランプ、キセノンランプ若しくはハライドランプなどのランプが用いられる。
【００３７】
また、図４に示すように、本発明においては、上記の屈折率変調型の回折光学素子３をポリゴンミラー４の後に配置することもできる。この場合には、光源２から出射された光ビームがポリゴンミラー４によってその進行方向を変化させられた後に回折光学素子３に入射する。そして、この回折光学素子３によって整形させられた光ビームが照射対象物５に照射される。
【００３８】
図５に、上記の光ビーム走査装置を用いた本発明におけるレーザプリンタの一部の構成の好ましい一例を示す。ここで、半導体レーザからなる光源２から出射されたレーザビームは、透光性基板３１とこの透光性基板３１上に形成された相対的に高屈折率の複数の領域と相対的に低屈折率の複数の領域とを含む透光性ＤＬＣ膜３２とからなる屈折率変調型の回折光学素子３によって整形された後にポリゴンミラー４に入射する。そして、ポリゴンミラー４によって進行方向を変化させられたレーザビームは球面レンズ６およびトロイダルレンズ７によって整形させられた後に感光ドラム８に照射される。このように本発明におけるレーザプリンタにおいては、多数の部品を用いることなく回折光学素子３のみによってレーザビームが整形され得る。
【００３９】
なお、多角柱の側面をミラーとするポリゴンミラー４の一つの側面によって反射されるレーザビームは、一定速度で感光ドラム８上を走査し、感光ドラム８上に横一列分の像が形成される。この像の形成が高速で連続して行なわれることによって感光ドラム８上に２次元の画像が描画される。その後は、感光ドラム８上に描画された２次元の画像にしたがって感光ドラム８上にトナーが付着され、これが用紙に転写されることによって画像の印刷が行なわれる。
【００４０】
なお、本発明においては、図５に示す球面レンズ６およびトロイダルレンズ７の代わりに上記の屈折率変調型の回折光学素子３を用いることもできる。この場合には、更なる部品数の減少が可能となる。ここで、ポリゴンミラー４によって進行方向を変化させられたレーザビームは回折光学素子３によって整形させられた後に感光ドラム８に照射されることになる。
【００４１】
図６に、本発明におけるスキャナの一部の構成の好ましい一例を示す。このスキャナにおいては、光源２としての半導体レーザから出射されたレーザビームは、屈折率変調型の回折光学素子３によって整形させられた後にポリゴンミラー４に入射する。次いで、ポリゴンミラー４によって進行方向を変化させられたレーザビームは画像が印刷された原稿１０に照射される。そして、レーザビームは原稿１０において反射し、反射したレーザビームの強弱がラインスキャナなどの検出器１１によって検出され電気信号に変換される。このように本発明におけるスキャナにおいても、多数の部品を用いることなく回折光学素子３のみによってレーザビームが整形され得る。なお、図６に示す原稿１０をバーコードに置き換えた場合には、このスキャナはバーコードリーダとなる。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４３】
本発明によれば、透光性基板とこの透光性基板上に形成された相対的に高屈折率の複数の領域と相対的に低屈折率の複数の領域とを含む透光性ＤＬＣ膜とからなる屈折率変調型の回折光学素子によって光ビームの整形が可能となる。したがって、この屈折率変調型の回折光学素子を用いることによって部品数の減少による光ビーム走査装置の製造コストを低減させることが可能になるだけでなく、光ビーム走査装置の小型化も可能になる。
【図面の簡単な説明】
【００４４】
【図１】本発明による屈折率変調型の回折光学素子における高屈折率領域と低屈折率領域の分布状況の一例を示す平面図である。
【図２】本発明における屈折率変調型の回折光学素子を製造する方法の一例を図解する模式的な断面図である。
【図３】本発明の光ビーム走査装置を用いた光ビームの照射を図解した模式図である。
【図４】本発明の光ビーム走査装置を用いた光ビームの照射を図解する他の一例の模式図である。
【図５】本発明におけるレーザプリンタの一部の構成の好ましい一例を示す模式図である。
【図６】本発明におけるスキャナの一部の構成の好ましい一例を示す模式図である。
【図７】回折光学素子の作用のシミュレーションを図解する模式的な斜視図である。
【符号の説明】
【００４５】
２  光源、３  回折光学素子、４  ポリゴンミラー、５  照射対象物、６  球面レンズ、７  トロイダルレンズ、８  感光ドラム、１０  原稿、１１  検出器、２０  レンズ、３０  照射面、３１  透光性基板、３２  透光性ＤＬＣ膜、３２ａ，３２ｂ  帯状領域、４２  Ｎｉ導電層、４３  レジストパターン、４４  金マスク、４５  エネルギビーム。
【図１】
2006030840.tif 000003
【図２】
2006030840.tif 000004
【図３】
2006030840.tif 000005
【図４】
2006030840.tif 000006
【図５】
2006030840.tif 000007
【図６】
2006030840.tif 000008
【図７】
2006030840.tif 000009